(57)【要約】アクセスポイントに関するエネルギー効率を計算することに少なくとも部分的に基づいて、１つまたは複数のアクセスポイント、関連セル、あるいはキャリアを選択すること及び／または再選択することを容易にする、システム及び方法が説明されている。具体的には、エネルギー効率は、アクセスポイントと通信することに関して、推定されたパスロス及び／または干渉のレベルに少なくとも部分的に基づくことができる。さらに、アクセスポイントに関するロードパラメータは、受信されることができ、アクセスポイントを選択すること及び／または再選択することにおいて、評価されることができる。したがって、アクセスポイントは、順方向リンク伝送パワーのほかのパラメータに基づいて、選択されるあるいは再選択されることができる。さらに、パスロス及び／または干渉レベルは、マクロセルオーバーローディングを防ぐためにアクセスポイントのタイプに基づいて重み付けられることができる。
2011511578.tif 000002
【特許請求の範囲】
【請求項１】
アクセスポイントを、それに対しての初期通信の確立あるいは再選択のために、評価するための方法であって、
アクセスポイントと関連づけられる干渉のレベル及び／またはパスロスに関するエネルギー効率を推定することと、
前記エネルギー効率を、第２のアクセスポイントのエネルギー効率と比較することと、
前記アクセスポイントと関連づけられた前記エネルギー効率を、前記第２のアクセスポイントの前記エネルギー効率と比較することに少なくとも部分的に基づいて、前記アクセスポイントとの通信を確立することと、
を備えている方法。
【請求項２】
前記アクセスポイントのキャパシティとリソースの使用に関する１つまたは複数のロードパラメータを受信すること、をさらに備えている請求項１に記載の方法。
【請求項３】
前記アクセスポイントとの通信を確立することは、１つまたは複数のロードパラメータを、前記第２のアクセスポイントに関する１つまたは複数のロードパラメータと比較することにさらに基づいている、請求項２に記載の方法。
【請求項４】
前記１つまたは複数のロードパラメータは、前記アクセスポイントと現在通信しているデバイスの数を含む、請求項２に記載の方法。
【請求項５】
前記干渉のレベルは、合計受信パワーから差し引かれた、前記アクセスポイントから受信された信号のパワーとして決定される、請求項１に記載の方法。
【請求項６】
前記パスロスは、前記アクセスポイントの伝送パワーと、前記アクセスポイントに関する受信パワー測定と、に少なくとも部分的に基づいて推定される、請求項１に記載の方法。
【請求項７】
前記アクセスポイントとの通信を確立することは、現在のアクセスポイントからのセル再選択の一部として実行される、請求項１に記載の方法。
【請求項８】
前記エネルギー効率を、前記現在のアクセスポイントに関する現在のエネルギー効率と比較することに少なくとも部分的に基づいて、前記セル再選択を開始すること、をさらに備えている請求項７に記載の方法。
【請求項９】
無線通信装置であって、
アクセスポイントと関連づけられた干渉のレベルあるいはパスロスに関するエネルギー効率を受信するように、
第２のアクセスポイントと関連づけられた干渉のレベルあるいはパスロスに関するエネルギー効率を受信するように、
無線アクセスサービスを受信するための前記アクセスポイントあるいは第２のアクセスポイントを選択するために、前記アクセスポイントと関連づけられた前記エネルギー効率を、前記第２のアクセスポイントと関連づけられた前記エネルギー効率を比較するように、
前記選択されたアクセスポイントとの通信を確立するように、
構成された少なくとも１つのプロセッサと、
前記少なくとも１つのプロセッサに結合されたメモリと、
を備えている無線通信装置。
【請求項１０】
アクセスポイントを、それに対しての選択あるいは再選択のために、分析することを容易にする無線通信装置であって、
アクセスポイントに関するエネルギー効率を受信するための手段と、
前記エネルギー効率を、アクセスポイントを選択する第２のアクセスポイントから受信されたエネルギー効率と比較するための手段と、
前記選択されたアクセスポイントとの通信を確立するための手段と、
を備えている無線通信装置。
【請求項１１】
コンピュータプログラムプロダクトであって、コンピュータ可読媒体を備え、
前記コンピュータ可読媒体は、
少なくとも１つのコンピュータに、アクセスポイントと関連づけられた干渉のレベル及び／またはパスロスに関するエネルギー効率を推定させるためのコードと、
前記少なくとも１つのコンピュータに、前記エネルギー効率を第２のアクセスポイントのエネルギー効率と比較させるためのコードと、
前記少なくとも１つのコンピュータに、前記アクセスポイントと関連づけられた前記エネルギー効率を、前記第２のアクセスポイントの前記エネルギー効率と比較することに少なくとも部分的に基づいて、前記アクセスポイントとの通信を確立させるためのコードと、
を備えている、
コンピュータプログラムプロダクト。
【請求項１２】
装置であって、
アクセスポイントに関するエネルギー効率を計算するエネルギー効率推定器と、
前記エネルギー効率を、第２のアクセスポイントに関するエネルギー効率と比較し、前記比較に少なくとも部分的に基づいて無線アクセスサービスを受信するために前記アクセスポイントを選択する、セル選択器と、
を備える装置。
【請求項１３】
信号についての前記アクセスポイントの伝送パワーと、前記信号から受信されたパワーと、に少なくとも部分的に基づいて、前記アクセスポイントに関するパスロスを推定する、パスロス評価器、をさらに備える請求項１２に記載の装置。
【請求項１４】
前記エネルギー効率推定器は、前記エネルギー効率を計算するために前記パスロスを使用する、請求項１３に記載の装置。
【請求項１５】
合計受信パワーから差し引かれた、前記アクセスポイントから受信された信号のパワーとして、前記アクセスポイントと通信することに関する干渉のレベルを計算する、干渉決定器、をさらに備える請求項１２に記載の装置。
【請求項１６】
前記エネルギー効率推定器は、前記干渉のレベルに少なくとも部分的に基づいて、前記エネルギー効率を計算する、請求項１５に記載の装置。
【請求項１７】
前記アクセスポイントから１つまたは複数のロードパラメータを受信する、ローディングパラメータ評価器、をさらに備えている請求項１２に記載の装置。
【請求項１８】
前記セル選択器は、前記ロードパラメータを、前記第２のアクセスポイントに関する１つまたは複数のロードパラメータとさらに比較し、前記ロードパラメータを比較することに少なくとも部分的にさらに基づいて前記アクセスポイントを選択する、請求項１７に記載の装置。
【請求項１９】
前記１つまたは複数のロードパラメータは、前記アクセスポイントの残余キャパシティを含む、請求項１７に記載の装置。
【請求項２０】
前記セル選択器は、現在のアクセスポイントからのセル再選択の一部として前記アクセスポイントを選択する、請求項１２に記載の装置。
【請求項２１】
前記セル選択器は、前記エネルギー効率を前記現在のアクセスポイントに関する現在のエネルギー効率と比較することに少なくとも部分的に基づいて、前記セル再選択を開始する、請求項２０に記載の装置。
【請求項２２】
アクセスポイントを選択する方法であって、前記方法は、
端末との通信のために複数の候補アクセスポイントを識別することと、なお、前記複数の候補アクセスポイントのうちの少なくとも２つは、少なくとも１つの通信パラメータの異なるレベルを有する；
前記候補アクセスポイントが、前記複数のアクセスポイントの中の前記少なくとも１つの通信パラメータの最高レベルよりも、前記少なくとも１つの通信パラメータの少なくとも最低レベルを有するとき、前記複数の候補アクセスポイントの中から候補アクセスポイントを選択することと；
を備えている、
方法。
【請求項２３】
前記少なくとも１つの通信パラメータは、ロードパラメータを含む、請求項２２に記載の方法。
【請求項２４】
前記ロードパラメータは、アクセスポイントと通信しているデバイスの数を含む、請求項２３に記載の方法。
【請求項２５】
前記少なくとも１つの通信パラメータは、エネルギー効率を含む、請求項２２に記載の方法。
【請求項２６】
前記少なくとも１つの通信パラメータは、干渉の測定値を含む、請求項２２に記載の方法。
【請求項２７】
前記少なくとも１つの通信パラメータは、パスロスの測定値を含む、請求項２２に記載の方法。
【発明の詳細な説明】
【関連出願への相互参照】
【０００１】
本願は、２００８年１月３０日に出願された「通信システムにおけるロード及びパスロス調整を用いたハンドオフを実行するための方法及び装置(METHOD AND APPARATUS FOR PERFORMING HANDOFF WITH LOAD AND PATHLOSS ADJUSTMENT IN COMMUNICATION SYSTEMS)」と題された、米国仮特許出願シリアル番号第６１／０２４，８８０号の利益を主張する。前述の出願の全体は、参照によってここに組込まれている。
【背景】
【０００２】
Ｉ．分野
次の説明は、無線通信に一般的に関し、より具体的には、無線通信ネットワークにおいてサービングセル(serving cells)を選択することに関する。
【０００３】
ＩＩ．背景
無線通信システムは、例えばボイス、データ、等のような様々なタイプの通信コンテンツを提供するために広く展開されている。一般的な無線通信システムは、利用可能なシステムリソース（例、帯域幅、伝送パワー(transmit power)、等）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、及び同様なものを含むことができる。さらに、システムは、第３世代パートナーシッププロジェクト（３ＧＰＰ）、３ＧＰＰロングタームエボリューション（ＬＴＥ）、ウルトラモバイルブロードバンド（ＵＭＢ）、等のような仕様に合わせることができる。
【０００４】
一般的に、無線多元接続通信システムは、マルチプルモバイルデバイスのための通信を同時にサポートすることができる。各モバイルデバイスは、順方向リンク及び逆方向リンク上の送信を介して、１つまたは複数の基地局と通信することができる。順方向リンク（あるいはダウンリンク）は、基地局からモバイルデバイスまでの通信リンクを指し、逆方向リンク（あるいはアップリンク）は、モバイルデバイスから基地局までの通信リンクを指す。さらに、モバイルデバイスと基地局との間の通信は、シングル入力シングル出力（ＳＩＳＯ）システム、マルチプル入力シングル出力（ＭＩＳＯ）システム、マルチプル入力マルチプル出力（ＭＩＭＯ）システム、などを介して確立されることができる。さらに、ピア・ツー・ピアの無線ネットワーク構成において、モバイルデバイスは他のモバイルデバイスと、（及び／または、基地局は他の基地局と）通信することができる。
【０００５】
ＭＩＭＯシステムは、一般に、データ送信のために、マルチプル（ＮＴ）送信アンテナと、マルチプル（ＮＲ）受信アンテナを利用する。アンテナは、一例では、基地局とモバイルデバイスの両方に関連することができ、無線ネットワーク上のデバイス間の双方向通信を可能にする。モバイルデバイスは、基地局によってサービス提供されるセルあるいはセクタにおける基地局を介して、無線ネットワークとの通信を最初に確立することができる。異種配置(heterogeneous deployments)では、マルチプル基地局は、所与のセルにおいてモバイルデバイスをサービス提供するのに利用可能でありうる。例えば、１つまたは複数の基地局によって提供される、複数の隣接マクロセル上で、フェムトセルは、１つまたは複数のモバイルデバイスに対し、近距離サービス(close range service)を提供することができる。この点に関して、モバイルデバイスは、初期サービス、ハンドオフ、及び／または同様なもの、のために１つまたは複数のサービングセルを選択することができ、そしてそれは、最高伝送パワーを備えたサービングセルを選択することによって実行される。しかしながら、伝送パワーは、必ずしも、選択及び／または再選択についての最適セルの最も望ましいインジケーションであるとは限らない。
【発明の概要】
【０００６】
次は、そのような実施形態の基本的な理解を提供するために、１つまたは複数の実施形態の簡略化された概要(summary)を示している。この概要は、すべての熟考された実施形態の広範囲な全体像ではなく、すべての実施形態の重要なあるいは決定的なエレメントを識別することも、あるいは、いずれのあるいはすべての実施形態の範囲を詳細に描写することも、意図されていない。その唯一の目的は、後で示される、より詳細な説明の前置きとして、簡略化された形で、１つまたは複数の実施形態のいくつかの概念(concepts)を提示することである。
【０００７】
１つまたは複数の実施形態及びその対応する開示にしたがって、様々な態様が、サービングセルにおいてパワーを送信する他の、あるいは、そのことに加えた、決定に基づいて無線サービスを受信するために、無線ネットワークにおいてサービングセルを選択することを容易にすることに関連して説明されている。例えば、初期の通信、ハンドオーバー、及び／または、同様なもの、のためにサービングセルを選択しているデバイスは、セル関連パラメータ、例えば、セル上のローディング（セルによってサービス提供されるデバイスの数(number of devices served by the cell)、履歴データに基づいて一般的に接続されたデバイスの数(a number of devices typically connected based on historical data)、サービングセルの残余キャパシティ(residual capacity)、セルにおける干渉のレベル、等を含むことができる）、セルとデバイスとの間のパスロス、セルにおける干渉のレベル、及び／または、同様なもの、を評価することができる。したがって、例えば、セルは、より低い伝送パワーを有するかもしれないが、デバイスは、近接してより近いセルを選択することができる。このことは、無線ネットワーク上の全体的な干渉を緩和することができる。さらに、例えば、デバイスは、より高い伝送パワーを有するセルよりも少なくロードされるセルを選択することができ、そしてそれは、増大されたデバイス性能を結果としてもたらすことができる。
【０００８】
関連態様にしたがって、アクセスポイントを、それに対しての初期通信確立あるいは再選択のために、評価するための方法が提供されている。方法は、アクセスポイントと関連づけられた干渉のレベル及び／またはパスロスに関するエネルギー効率を推定することを含むことができる。方法は、エネルギー効率を第２のアクセスポイントのエネルギー効率と比較することと、アクセスポイントと関連づけられたエネルギー効率を第２のアクセスポイントのエネルギー効率と比較することに少なくとも部分的に基づいてアクセスポイントとの通信を確立することと、をさらに含む。
【０００９】
前述および関連する目的を実現するために、１つまたは複数の実施形態が、以下で十分に説明され、また特に特許請求の範囲において指摘されている、特徴を備えている。以下の記載および添付図面は、１つまたは複数の実施形態のある説明のための態様を詳細に記載している。しかしながら、これらの態様は、様々な実施形態の原理が使用されることができる、ほんのいくつかの様々な方法を示しており、説明された実施形態は、すべてのそのような態様およびそれらの均等物(equivalents)を含むように意図されている。
【図面の簡単な説明】
【００１０】
【図１】図１は、ここに記載された様々な態様にしたがった、無線通信システムの図示である。
【図２】図２は、ここに記載された様々な態様にしたがった、異種配置無線通信システムの図示である。
【図３】図３は、セル選択あるいは再選択を実行するために、エネルギー効率を決定すること、及び／または、ローディングパラメータを受信すること、を実行する一例の無線通信システムの図示である。
【図４】図４は、推定されたエネルギー効率及び／または受信されたロードパラメータに少なくとも部分的に基づいた、セル選択／再選択のための一例の無線通信システムの図示である。
【図５】図５は、エネルギー効率を推定することに基づいて、セル選択／再選択を容易にする、一例の方法の図示である。
【図６】図６は、受信されたロードパラメータに基づいて、セル選択／再選択を容易にする、一例の方法の図示である。
【図７】図７は、選択／再選択のためにセルあるいは関連装置を決定することを容易にする一例のモバイルデバイスの図示である。
【図８】図８は、１つまたは複数のデバイスにロードパラメータを送信する、一例のシステムの図示である。
【図９】図９は、ここに記載された様々なシステム及び方法に関して、利用されることができる、一例の無線ネットワーク環境の図示である。
【図１０】図１０は、推定されたエネルギー効率に少なくとも部分的に基づいて、１つまたは複数のアクセスポイントとの通信を確立する、一例のシステムの図示である。
【詳細な説明】
【００１１】
様々な実施形態は、図面を参照して説明されており、全体を通して、同様の参照文字は、同様のエレメントを指すように使用される。以下の説明で、説明の目的のために、非常に多くの具体的な詳細な説明が、１つまたは複数の実施形態の十分な理解を提供するために記載されている。しかしながら、そのような実施形態（単数または複数）は、これらの具体的な詳細なしに実行されることができるということは明らかである。他の例では、よく知られた構造及びデバイスは、１つまたは複数の実施形態を説明することを容易にするために、ブロック図で示されている。
【００１２】
本出願の中で使用されているように、用語「コンポーネント(component)」、「モジュール(module)」、「システム(system)」、及び同様なものは、コンピュータ関連のエンティティ(entity)、ハードウェアか、ファームウェアか、ハードウェアとソフトウェアの組み合わせか、ソフトウェアか、あるいは実行中のソフトウェアか、を指すように意図されている。例えば、コンポーネントは、限定されてはいないが、プロセッサ上で実行しているプロセス、プロセッサ、オブジェクト、実行ファイル(executable)、実行スレッド(thread of execution)、プログラム、及び／または、コンピュータ、であってもよい。例として、コンピューティングデバイス上で実行しているアプリケーションと該コンピューティングデバイスの両方は、コンポーネントでありうる。１つまたは複数のコンポーネントは、プロセス及び／または実行スレッド内に存在(reside)することができ、また、コンポーネントは、１つのコンピュータ上に局在化されてもよいし、及び／または２以上のコンピュータの間で配信され（distributed）てもよい。さらに、これらのコンポーネントは、保存された様々なデータ構造を有している様々なコンピュータ可読媒体から実行することが出来る。コンポーネントは、ローカルな、及び／または、遠隔のプロセスで、例えば、１つまたは複数のデータパケット（例、ローカルシステム、配信システムにおいて、及び／または、信号を経由して他のシステムを備えたインターネットのような有線あるいは無線ネットワーク全体にわたって、別のコンポーネントと相互作用している１つのコンポーネントからのデータ）を有している信号に従って、通信することが出来る。
【００１３】
さらに、様々な実施形態は、モバイルデバイスに関連して、ここに説明されている。モバイルデバイスはまた、システム、加入者ユニット、加入者局、モバイル局、モバイル、遠隔局、遠隔端末、アクセス端末、ユーザ端末、端末、無線通信デバイス、ユーザエージェント、ユーザデバイス、あるいはユーザ機器（ＵＥ）、と呼ばれることができる。モバイルデバイスは、セル電話、コードレス電話、セッションイニシエーションプロトコル（ＳＩＰ）電話、ワイヤレスローカルループ（ＷＬＬ）局、携帯情報端末(personal digital assistant)（ＰＤＡ）、ワイヤレス接続機能を有しているハンドヘルドデバイス、コンピューティングデバイス、あるいは、ワイヤレスモデムに接続された他のプロセッシングデバイス、であってもよい。さらに、様々な実施形態は、基地局に関連して、ここにおいて説明されている。さらに、様々な実施形態は、基地局に関してここに説明されている。基地局は、モバイルデバイス（単数または複数）と通信するために使用されることができ、また、アクセスポイント、ノードＢ、発展型ノードＢ(ｅＮｏｄｅ ＢあるいはｅＮＢ)、ベーストランシーバ局（ＢＴＳ）、あるいは、ある他の用語で呼ばれることができる。
【００１４】
さらに、ここにおいて説明された特徴の様々な態様は、標準プログラミング及び／または工学技術を使用して、方法、装置、あるいは製造品(article of manufacture)としてインプリメントされることができる。ここにおいて使用されているように、用語「製造品(“article of manufacture”)」は、いずれのコンピュータ可読デバイス、キャリア、あるいは媒体からアクセス可能なコンピュータプログラムを含むように意図されている。例えば、コンピュータ可読媒体は、磁気保存デバイス（例えば、ハードディスク、フロッピー（登録商標）ディスク、磁気ストリップ(magnetic strips）等）に限定されず、光学ディスク（例えば、コンパクトディスク（ＣＤ）、デジタル汎用ディスク（ＤＶＤ）等）、スマートカード、及びフラッシュメモリデバイス（例、ＥＰＲＯＭ、カード、スティック、キードライブ等）を含むことができる。さらに、ここにおいて説明されている様々なストレージ媒体は、１つまたは複数のデバイス、及び／または、情報を保存するための他のマシン可読媒体を表すことができる。用語「マシン可読媒体(machine-readable medium)」は、限定されてはいないが、命令（単数または複数）及び／またはデータを保存し、含み、及び／または、搬送することができる、無線チャネル及び様々な他の媒体を含むことができる。
【００１５】
ここにおいて説明される技術は、様々な無線通信システム、例えば、符号分割多重接続（ＣＤＭＡ）システム、時分割多重接続（ＴＤＭＡ）システム、周波数分割多重接続（ＦＤＭＡ）システム、直交周波数分割多重接続（ＯＦＤＭＡ）システム、シングルキャリア周波数ドメイン多重化(single carrier frequency domain multiplexing)（ＳＣ−ＦＤＭＡ）及び他のシステム等、に使用されることができる。用語「システム(system)」と「ネットワーク(network)」は、しばしば互換性をもって使用されている。ＣＤＭＡシステムは、ユニバーサル地上波無線接続(Universal Terrestrial Radio Access)（ＵＴＲＡ）、ＣＤＭＡ２０００等のような無線技術をインプリメントすることができる。ＵＴＲＡは、広帯域ＣＤＭＡ（Ｗ−ＣＤＭＡ）及び他の変数のＣＤＭＡを含む。ＣＤＭＡ２０００は、ＩＳ−２０００、ＩＳ−９５及びＩＳ−８５６規格を含む。ＴＤＭＡシステムは、モバイル通信のためのグローバルシステム(Global System for Mobile Communications)（ＧＳＭ）のような無線技術をインプリメントすることができる。ＯＦＤＭＡシステムは、発展型ＵＴＲＡ(Evolved UTRA)（Ｅ−ＵＴＲＡ）、ウルトラモバイルブロードバンド(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）等のような無線技術をインプリメントすることができる。ＵＴＲＡ及びＥ―ＵＴＲＡは、ユニバーサルモバイルテレコミュニケーションシステム(Universal Mobile Telecommunication System)（ＵＭＴＳ）の一部である。３ＧＰＰロングタームエボリューション（ＬＴＥ）は、Ｅ−ＵＴＲＡを使用するアップカミングリリース(upcoming release)であり、そしてそれは、ダウンリンク上でＯＦＤＭＡを利用し、アップリンク上でＳＣ−ＦＤＭＡを利用する。ＵＴＲＡ、Ｅ−ＵＴＲＡ、ＵＭＴＳ、ＬＴＥ、及びＧＳＭは「第３世代パートナーシッププロジェクト」（３ＧＰＰ）と名付けられた組織からの文書において説明されている。ＣＤＭＡ２０００及びＵＭＢは、「第３世代パートナーシッププロジェクト２」（３ＧＰＰ２）と名付けられた組織からの文書において説明されている。
【００１６】
図１を参照すると、ここに提示された様々な実施形態にしたがって、無線通信システム１００が図示されている。システム１００は、マルチプルアンテナグループを含むことができる基地局１０２を備える。例えば、１つのアンテナグループは、アンテナ１０４及び１０６を含むことができ、別のグループは、アンテナ１０８及び１１０を備えることができ、さらなるグループは、アンテナ１１２及び１１４を含むことができる。２つのアンテナが各アンテナグループについて図示されているが、より多くのアンテナあるいはより少ないアンテナが、各グループについて使用されることができる。基地局１０２は、送信機チェイン及び受信機チェインをさらに含むことができ、それらのそれぞれは、当業者によって理解されるように、代わりに、信号送信及び受信と関連づけられた複数のコンポーネント（例、プロセッサ、モジュレータ、マルチプレクサ、デモジュレータ、デマルチプレクサ、アンテナ、等）を備えることができる。
【００１７】
基地局１０２は、モバイルデバイス１１６とモバイルデバイス１２６のような１つまたは複数のモバイルデバイスと通信することができるが、基地局１０２がモバイルデバイス１１６とモバイルデバイス１２６と同様に実質的にはいずれの数のモバイルデバイスと通信することができるということは理解されるべきである。図示されているように、モバイルデバイス１１６はアンテナ１１２とアンテナ１１４と通信しており、なお、アンテナ１１２とアンテナ１１４は、順方向リンク１１８上でモバイルデバイス１１６に情報を送信し、逆方向リンク１２０上でモバイルデバイス１１６から情報を受信する。周波数分割デュプレックス(frequency division duplex)（ＦＤＤ）システムでは、例えば、順方向リンク１１８は、逆方向リンク１２０によって使用されるものとは異なる周波数帯を利用することができる。さらに、時分割デュプレックス(time division duplex)（ＴＤＤ）システムでは、順方向リンク１１８と逆方向リンク１２０は、共通の周波数帯を利用することができる。
【００１８】
各グループのアンテナ及び／またはそれらが通信するように指定されたエリアは、基地局１０２のセクタあるいはセルと呼ばれることができる。例えば、アンテナグループは、基地局１０２によってカバーされたエリアのセクタにおいて、モバイルデバイスに通信するように設計されることができる。順方向リンク１１８上の通信では、基地局１０２の送信アンテナは、モバイルデバイス１１６のための順方向リンク１１８の信号対雑音比を改善するためにビームフォーミングを利用することができる。さらに、基地局１０２は、関連サービスエリアを通じてランダムに散在されたモバイルデバイス１１６に送信するためにビームフォーミングを使用しており、近隣セルにおけるモバイルデバイスは、すべてのそのモバイルデバイスに対して単独のアンテナを通じて送信している基地局と比較して、より少ない干渉を受けやすい可能性がある。さらに、図示されていないが、モバイルデバイス１１６とモバイルデバイス１２６は、ピア・ツー・ピアあるいはアドホック技術(a peer-to-peer or ad hoc technology)を使用して、互いに直接通信することができる。
【００１９】
さらに、基地局１０２は、バックホールリンク接続(backhaul link connection)にわたって、ネットワーク１２２と通信することができ、そしてそれは、無線サービスアクセスネットワーク（例、３Ｇネットワーク）を含んでいる１つまたは複数のネットワークであることができる。ネットワーク１２２は、モバイルデバイス１１６とモバイルデバイス１２６に関するアクセスパラメータと、デバイス１１６とデバイス１２６にサービスを提供する無線アクセスネットワークの他のパラメータと、に関する情報を保存することができる。さらに、別の基地局１２４は、順方向リンク１２８と逆方向リンク１３０にわたって（上記で説明されているように、順方向リンク１１８と逆方向リンク１２０と同様に）、モバイルデバイス１２６と通信することを容易にするために提供されることができる。基地局１２４は、基地局１０２のようなマクロセル基地局、フェムトセル、及び／または同様なもの、であってもよく、１つまたは複数のモバイルデバイス１２６に対してアクセスを提供することができる。一例では、基地局１２４は、住居、ビジネス、及び／または、他の近距離設定(other close range setting)（例、テーマパーク、スタジアム、団地等）において構成されたフェムトセルであることができる。基地局１２４はまた、バックホールリンク接続を使用して、ネットワーク１２２に接続することができ、そしてそれは、一例では、ブロードバンドインターネット接続（Ｔ１／Ｔ３、デジタル加入者線（ＤＳＬ）、ケーブル等）上であることができる。ネットワーク１２２は、モバイルデバイス１２６のためにアクセス情報を同様に提供することができる。
【００２０】
一例によると、モバイルデバイス１１６とモバイルデバイス１２６は、セルラ電話、スマートフォン、ラップトップ、ハンドヘルド通信デバイス、ハンドヘルドコンピューティングデバイス、衛星ラジオ、グローバルポジショニングシステム、ＰＤＡｓ、及び／または無線通信システム上で通信するためのいずれの他の適切なデバイス、であることができる。モバイルデバイス１１６とモバイルデバイス１２６は、移動の間に(during travel)、異なる基地局及び／またはフェムトセルの中でセル再選択(cell reselection)を実行しているサービスエリア上で移動することができる。ここにおいて使用されているように、異なる(disparate)は、違う(different)、本質的に違う(different in kind)、別個(distinct)、品質あるいは特性において個別(distinct)、等として定義されることができる。したがって、異なる基地局は、基地局が１つまたは複数のデバイスに対して無線アクセスを提供する限り、同じ、実質的に同じ、多少違う、あるいは、完全に違う技術から成ることができる。さらに、一例では、基地局は、実質的には同じ技術から成り、及び／または、同じコンポーネントから構成され、そして、同じあるいは異なる無線アクセスプロバイダによって操作されることができる。この点に関して、モバイルデバイス１１６とモバイルデバイス１２６は、モバイルデバイス１１６のユーザとモバイルデバイス１２６のユーザに、途切れなく(seamless)、連続的な無線サービスを実施することができる。一例では(図示されず）、モバイルデバイス１２６は、モバイルデバイス１１６と同様な基地局１０２と通信していることができ(can have been communicating)、基地局１２４の指定範囲へと移動することができる(can have moved into)。この点に関して、モバイルデバイス１２６は、より望ましい無線サービスアクセスを受信するために、基地局１２４に関する１つまたは複数のセルを再選択することができる(can have reselected)。一例では、基地局１２４は、より望ましい課金及び／または他のアクセスオプションを提供するモバイルデバイス１２６のためのホームアクセスポイントであることができる。別の例では、基地局１２４は、それぞれのビジネスあるいは場所(venue)に合わせたデータあるいはオプションを提供するビジネスあるいは場所に関連していることができる。したがって、モバイルデバイス１２６は、そのような合わせられたオプションを受信するために、基地局１２４に関する１つまたは複数のセルを、最初に選択する及び／または再選択することができる。さらに、モバイルデバイス１２６が基地局１０２のほうへ移動すると、それは、それに関連するセルを再選択することができる。
【００２１】
サービスエリア上で移動することにおいて、モバイルデバイス１１６及び／またはモバイルデバイス１２６は、利用可能な基地局（例、基地局１０２と基地局１２４）に関する様々なパラメータを連続的に測定することができ、そしてそれは、マクロセル基地局、フェムトセルアクセスポイント、及び／または、他のアクセスポイントであることができる。モバイルデバイス１１６及び／またはモバイルデバイス１２６は、測定値に基づいたセル再選択をいつ実行するかを決定することができる。さらに、初期接続のときに、モバイルデバイス１１６及び／またはモバイルデバイス１２６は、無線アクセスサービスを受信するための初期セルを選択するために、同様の測定を実行することができる。測定を実行することは、例えば、基地局１０２及び１２４のそれぞれに関する通信パラメータを比較するもののような測定値から情報を推論することを含むことができる。パラメータは、計算されることができ、推定されることができ、あるいは、決定されることができる。一例では、通信パラメータは、基地局１０２及び基地局１２４の伝送パワーを評価すること、基地局１０２及び基地局１２４に関するパスロスを推定すること、基地局１０２及び基地局１２４と関連づけられた干渉のレベルを決定すること、基地局１０２及び基地局１２４の１つまたは複数のローディングパラメータ（例えば、サービスを受信しているデバイスの数、残余キャパシティ、１つまたは複数の関連セルにおける干渉、等）を評価すること、及び／または、同様なもの、に関することができる。パスロスは、送信機と受信機との間の信号のパワーにおける縮小を指すことができるということが理解されるべきである。したがって、単なる伝送パワー以外のパラメータは、再選択のために、セルを評価することにおいて分析されることができる。
【００２２】
一例によると、モバイルデバイス１２６は、基地局１２４の範囲へと移動する、あるいは、無線アクセスを受信するために周りの基地局を最初に評価する、ことができる。モバイルデバイス１２６は、基地局１２４に加え、基地局１０２から信号を受信することができる。近接性次第で、基地局１０２の信号強度は、基地局１２４の信号強度よりも大きくなりうる。しかしながら、モバイルデバイス１２６は、基地局１２４上のサービスのために基地局１０２を選択することが基地局１２４によってサービス提供されるエリアにおいて実質的な干渉を提供することができるように、基地局１２４に地理的に近い可能性がある。別の例では、基地局１０２は、ローディングキャパシティに近くてもよいが、基地局１２４は、モバイルデバイス１２６にサービス提供するのに利用可能なより多くのリソースを有する。これらの例では、基地局１０２において利用可能なセルは、モバイルデバイス１２６に最も望ましいものではないかもしれない。したがって、モバイルデバイス１２６は、基地局１０２と基地局１２４の両方に関する通信パラメータを比較することができる。通信パラメータを比較することは、例えば、基地局１０２と基地局１２４のためのそれぞれのパスロスを推定すること、基地局１０２と基地局１２４の両方に関する干渉レベルを決定すること、再選択、初期通信確立等を評価することにおいて、基地局１０２と基地局１２４に関するローディングパラメータを分析すること、等を含むことができる。
【００２３】
図２を参照すると、複数のモバイルデバイス(a number of mobile devices)をサポートするように構成された無線通信システム２００が図示されている。システム２００は、例えばマクロセル２０２Ａ−２０２Ｇのような複数のセルのための通信を提供し、なお、各セルは、対応するアクセスポイント２０４Ａ−２０４Ｇによってサービス提供される。上記で記載されているように、例えば、マクロセル２０２Ａ−２０２Ｇに関するアクセスポイント２０４Ａ−２０４Ｇは、マクロセル基地局であることができる。モバイルデバイス２０６Ａ−２０６Ｉは、無線通信システム２００の全体にわたって様々な位置に、分散して示されている。各モバイルデバイス２０６Ａ−２０６Ｉは、記載されているように、順方向リンク及び／または逆方向リンク上で、１つまたは複数のアクセスポイント２０４Ａ−２０４Ｇと通信することができる。さらに、アクセスポイント２０８Ａ−２０８Ｃが示されている。これらは、記載されているように、特定のサービス位置に関するサービスを提供している、例えばフェムトセル、リレーノード、無線アクセスポイント、モバイルアクセスポイント等のような、より小さいスケールアクセスポイントであることができる。モバイルデバイス２０６Ａ−２０６Ｉは、与えられたサービスを受信するために、これらの小さいスケールのアクセスポイント２０８Ａ−２０８Ｃとさらに通信することができる。無線通信システム２００は、一例において、広い地理領域にわたってサービスを提供することができる（例、マクロセル２０２Ａ−２０２Ｇは、近隣の少数のブロックを含むことができ、より小さな２０８Ａ−２０８Ｃは、例えば、住居、オフィスビル、及び／または記載されているような同様なもののような、エリアにあることができる）。一例では、モバイルデバイス２０６Ａ−２０６Ｉは、無線にわたって、及び／または、バックホール接続にわたって、アクセスポイント２０４Ａ−２０４Ｇ及び／またはアクセスポイント２０８Ａ−２０８Ｃとの接続を確立することができる。
【００２４】
さらに、示されているように、モバイルデバイス２０６Ａ−２０６Ｉは、システム２００全体にわたって移動することができ、そして、異なるマクロセル２０２Ａ−２０２Ｇあるいはより小さなスケールのサービスエリアを通じて移動するとき、様々なアクセスポイント２０４Ａ−２０４Ｇ及び／またはアクセスポイント２０８Ａ−２０８Ｃに関するセルを再選択することができる。さらにモバイルデバイス２０６Ａ−２０６Ｉは、無線アクセスサービスを受信するために、初期通信を確立するときに、同様のセル選択を実行することができる。例えば、モバイルデバイス２０６Ｄは、再選択あるいは初期通信の確立のために、より小さいスケールアクセスポイント２０８Ｃによって提供されるサービスエリアに加え、それぞれ、アクセスポイント２０４Ｃとアクセスポイント２０４Ｄによって提供される周囲セル２０２Ｃと周囲セル２０２Ｄを評価することができる。モバイルデバイス２０６Ｄは、一例において、各アクセスポイント２０４Ｃ、２０４Ｄ及び２０８Ｃの伝送パワーを比較することができる。さらに、しかしながら、モバイルデバイス２０６Ｄは、各アクセスポイント２０４Ｃ、２０４Ｄ及び２０８Ｃに対するパスロスを推定すること、及び／または、セルを評価することに使用するために干渉の関連レベルを決定すること、ができる。一例では、パスロスは、送信アンテナ出力を受信アンテナ出力と比較することにより、あるいは、他の既知の方法を使用することにより、推定されることができる。
【００２５】
さらに、説明されているように、モバイルデバイス２０６Ｄは、アクセスポイント２０４Ｃ、２０４Ｄ、及び／または２０８Ｃ上でロードすることに関するパラメータを受信することができる。例えば、パラメータは、アクセスポイント２０４Ｃ、２０４Ｄ、２０８Ｃ、及び／または、関連セルによって現在サービス提供されるデバイスの数、デバイスの数、複数のリソース、及び／または、同様なもの、に関するその残余キャパシティ(a residual capacity thereof related to number of devices, number of resources, and/or the like)、アクセスポイント２０４Ｃ、２０４Ｄ、２０８Ｃ、及び／または、関連セルにおける干渉のレベル、等に関することができる。パラメータは、アクセスポイント２０４Ｃ、２０４Ｄ、２０８Ｃ及び／または他のネットワークコンポーネントから、受信されることができるということは理解されるべきである。したがって、ロードパラメータ、あるいは１つまたは複数の組み合わせのパラメータは、周囲セルを、それに対しての初期選択及び／または再選択のために、評価するためにも使用されることができる。
【００２６】
上記の例によると、アクセスポイント２０４Ｃ及びアクセスポイント２０４Ｄからの伝送パワーは、より小さいスケールアクセスポイント２０８Ｃの伝送パワーよりも強くてもよい。しかしながら、モバイルデバイス２０６Ｄは、アクセスポイント２０４Ｃとアクセスポイント２０４Ｄを用いたよりもパスロスが低いように、より小さいスケールアクセスポイント２０８Ｃに、地理的に近くてもよい。このパスロスの追加考察は、モバイルデバイスが、無線アクセスのためにより小さなスケールのアクセスポイント２０８Ｃを選択することを可能にし、そしてそれは、モバイルデバイス２０６Ｄがアクセスポイント２０４Ｃあるいはアクセスポイント２０４Ｄと通信している場合には、より小さなスケールのアクセスポイント２０８Ｃ及び他のデバイスが経験するであろう干渉を減らす。さらに、この点に関して、モバイルデバイス２０６Ｄは、より小さなスケールのアクセスポイントについて許可された干渉の指定範囲内のアクセスポイント２０４Ｃ及び／または２０４Ｄと比較して、より小さなスケールのアクセスポイント２０８Ｃの干渉レベルを分析することができる。したがって、より小さなスケールのアクセスポイント２０８Ｃについての干渉は、アクセスポイント２０４Ｃ及び／または２０４Ｄの干渉よりも高くてもよく、モバイルデバイス２０６Ｄは、差異が指定範囲内にある場合にはより小さなスケールのアクセスポイント２０８Ｃを選択／再選択することができる。このことは、許可された干渉の指定範囲内でより小さなスケールのアクセスポイント２０８Ｃからサービスを受信するためにモバイルデバイス２０６Ｄが地理的に近接にある場合、マクロセル２０４Ｃ及び／またはマクロセル２０４Ｄのオーバーローディングを防ぐ。
【００２７】
別の例によると、より小さなスケールのアクセスポイント２０８Ｃは、ローディングキャパシティに近くてもよく、モバイルデバイス２０６Ｄによって受信される関連ローディングパラメータは、それ自体を示すことができる。モバイルデバイス２０６Ｄは、アクセスポイント２０８Ｃを評価することにおいてパラメータを分析することができるので、アクセスポイント２０８Ｃがキャパシティに近い場合、モバイルデバイス２０６Ｄは、例えば、無線アクセスサービスを受信するために、アクセスポイント２０４Ｃ及び／またはアクセスポイント２０４Ｄを選択することができる。この点に関して、上記の例を使用して、より小さなスケールのアクセスポイント２０８Ｃは、モバイルデバイス２０６Ｄによって分析されることができる、有効な干渉／サーマル(interference over thermal)（ＩｏＴ）パラメータを通知する(advertise)ことができる。例えば、有効なＩｏＴは、アクセスポイント２０８Ｃのキャパシティに基づくことができる。マクロセルアクセスポイント２０４Ｃ及び２０４Ｄは、通常ＩｏＴパラメータ(normal IoT parameter)を通知することができ、通常ＩｏＴパラメータは、サーマルノイズによって標準化された干渉のレベルに関する。したがって、モバイルデバイス２０６Ｄは、選択／再選択のためのセルを決定することにおいてアクセスポイント２０８Ｃの有効なＩｏＴパラメータと比較して、アクセスポイント２０４Ｃ及び２０４Ｄの通常ＩｏＴを考慮することができる。この点に関して、アクセスポイント２０４Ｃ及び２０４Ｄのオーバーローディングは、より小さなスケールのアクセスポイント２０８Ｃパラメータがローディングキャパシティに関してオフセットされるときに、緩和される。
【００２８】
図３に戻ると、無線通信環境内での使用のための通信装置３００が図示される。通信装置３００は、基地局あるいはその一部、モバイルデバイスあるいはその一部、あるいは、無線通信環境において送信されるデータを受信する実質的にいずれの通信装置、であることができる。通信装置３００は、１つまたは複数の異なる通信装置（図示されず）あるいは関連セルに関するパスロスを受信し分析することができるパスロス評価器３０２と、装置あるいはセルと関連づけられた干渉を確実にすることができる干渉決定器３０４と、パスロス及び干渉に少なくとも部分的に基づいて、装置あるいはセルとの通信を確立することに関してエネルギー効率をコンピュートすることができるエネルギー効率推定器３０６と、異なる通信装置あるいはセルに関する１つまたは複数のローディングパラメータを受信することができるローディングパラメータ評価器３０８と、パスロス、干渉、エネルギー効率、及び／または、ローディングパラメータに基づいて、異なる通信装置あるいはセルのうちの１つまたは複数との通信をリクエストする及び／または確立することができるセル選択器３１０、を含むことができる。
【００２９】
一例によると、通信装置３００は、接続確立あるいはセル再選択を要求するために、１つまたは複数の周囲セルあるいは関連装置を決定することができる。パスロス評価器３０２は、通信装置３００と、１つまたは複数の周囲セルあるいは関連装置と、の間の通信に関するパスロスを受信することができる。説明されるように、パスロス評価器３０２は、送信及び受信パワー、および／または、他の知られた予測技術を使用すること、に基づいてパスロスを推定することができる。一例では、パスロスは、下記の式を使用して推定されることができる：
ｈ＝Ｃｉ／ＥＩＲＰｉ
なお、ｈは、パスロスで、Ｃｉは、アクセスポイントｉからの信号パワーであり（なおｉは、正の整数である）、ＥＩＲＰｉは、アクセスポイントiに関する等価等方放射電力(equivalent isotropically radiated power)（ＥＩＲＰ）である。セル選択器３１０は、通信を確立するための、セルあるいは関連装置を決定することにおいて、パスロス評価器３０２からパスロスを分析することができる。
【００３０】
さらに、干渉決定器３０４は、複数のセルあるいは関連装置に関する干渉を識別することができ、セル選択器３１０は、干渉を最小にするために、セルあるいは関連装置を、追加的にあるいは代替的に、選択あるいは再選択することができる。さらに、エネルギー効率推定器３０６は、複数のセルあるいは関連装置のそれぞれについてエネルギー効率を計算することができ、セル選択器３１０は、追加的にあるいは代替的に最小エネルギー効率（ｍｉｎ（Ｅｂ，ｔｘ））に基づいて、選択／再選択することができる。所与のセルあるいは関連装置についてのエネルギー効率（Ｅｂ，ｔｘ）は、下記のように表わされることができる：
【数１】
2011511578.tif 000003
【００３１】
なお、ｒは、秒あたりのビット（ｂｐｓ）／ヘルツ（Ｈｚ）におけるスペクトル効率であり、Ｃは、セルまたは装置の受信信号パワーであり、Ｉは、セルまたは装置の受信された干渉パワー（例、干渉決定器３０４によって決定される）であり、そして、Ｈは、上記で説明されているようにパスロスである（例、パスロス評価器によって決定される）。したがって、エネルギー効率推定器３０６は、セルにおける干渉回避を説明する下記の式を使用して、与えられたセルあるいは関連装置について、エネルギー効率Ｅｂ，ｔｘを計算することができる：
【数２】
2011511578.tif 000004
【００３２】
なお、Ｂはシンボルレートである。別の例では、干渉決定器３０４は、干渉回避が与えられたセルに関連して実行されない場合、合計受信パワーから与えられたセルからの信号パワーを引いたものとして、干渉をコンピュートすることができる。この点に関して、下記の式は、１つまたは複数のセルについてＥｂ，ｔｘを決定することにおいてエネルギー効率推定器３０６によって使用されることができる。
【数３】
2011511578.tif 000005
【００３３】
なお、Ｙは、合計受信パワーである。説明されているように、セル選択器３１０は、最小Ｅｂ，ｔｘを表すセルあるいは関連装置を選択／再選択することができる。さらに、セル及び／または関連装置は、一例では、異なるインタレースにわたって異なる干渉レベルを有することができる。この点に関して、エネルギー効率推定器３０６は、アクティブインタレースにわたってエネルギー効率を計算することができ、アクティブインタレースは、セル及び／または関連装置が、通信装置３００に対して、データ送信をスケジュールすることを期待されるものであることができる。
【００３４】
別の例によると、ローディングパラメータ評価器３０８は、セルあるいは関連装置上のローディング条件に関連している、１つまたは複数のローディングパラメータを受信することができる。例えば、ローディングパラメータは、与えられたセルの使用及び／またはキャパシティ、例えば、セルがサポートすることが出来るデバイスの数、セルによって現在サービス提供されるデバイスの数、セルによって典型的にサービス提供されるデバイスの数（例、履歴データに基づく）、セルにおいて利用可能なリソース、セルの残余キャパシティ、わずかなあるいは一定の割合の利用可能性(a fraction or percentage of availability)、及び同様なもの、に関連することができる。さらに、ローディングパラメータ評価器３０８は、受信されたキャパシティと使用とのパラメータから使用されるキャパシティの割合(a percentage of capacity utilized from received capacity and utilization parameters)のような、１つまたは複数の受信パラメータから値をコンピュートすることができる。セル選択器３１０は、１つまたは複数の受信されたローディングパラメータに基づいて、セルを選択することができる／再選択することができる。例えば、セル選択器３１０が現在のセル(current cell)においてサービスを受信している場合、それは、再選択するかどうかを決定するために、現在のセルに関連する１つまたは複数の異なるローディングパラメータと、１つまたは複数のローディングパラメータを比較することができる。さらに、セル選択器３１０は、残余エラーレートに帰因して、チャネル信頼性及び／またはキャリア対干渉比（Ｃ／Ｉ）にしたがって、セルあるいは関連装置を選択／再選択することができる。
【００３５】
図４を参照すると、複数のアクセスポイントに関連するエネルギー効率及び／またはロードパラメータに少なくとも部分的に基づいて、セル選択／再選択を可能にすることができる無線通信システム４００を図示する。システムは、例えば、アクセス端末４０２、それぞれが基地局であることができるアクセスポイント４０４及び４０６、モバイルデバイス、あるいはそれらの一部を含む。一例では、アクセス端末４０２は、逆方向リンクあるいはアップリンクチャネルにわたって、アクセスポイント４０４及び／または４０６に、情報を送信することができ、さらにアクセス端末４０２は、順方向リンクあるいはダウンリンクチャネルにわたって、アクセスポイント４０４および／または４０６から情報を受信することができる。さらに、システム４００は、ＭＩＭＯシステムであることができる。さらに、アクセス端末４０２における、下記で示され説明されたコンポーネント及び機能は、一例では、アクセスポイント４０４及び４０６において示されることができ、また、逆もまた然りであり、図示された構成は、説明を簡単にするために、これらのコンポーネントを除いている。
【００３６】
アクセス端末４０２は、決定されたパスロス及び／または干渉測定値から、１つまたは複数のアクセスポイント４０４及び４０６あるいは関連セルのエネルギー効率を、記載されているように、コンピュートすることができるエネルギー効率推定器４０８と、１つまたは複数のアクセスポイント４０４及び４０６から１つまたは複数のローディングパラメータを受信することができるローディングパラメータ評価器４１０と、最初に通信を確立する、あるいは、１つまたは複数のアクセスポイント４０４及び４０６に対してセル再選択を実行することができる、セル選択器４１２と、を含む。さらに、アクセスポイント４０４は、アクセス端末４０２によって受信されることができる様々な信号を送信する送信機４１４と、送信されるべきローディングパラメータを提供することができるローディングパラメータ指定子４１６と、を含むことができる。同様に、アクセスポイント４０６はまた、送信機４１８とローディングパラメータ指定子４２０を備える。
【００３７】
一例によると、アクセス端末４０２は、アクセスポイント４０４から無線アクセスサービスを受信することができる。アクセス端末４０２がサービスエリアを移動すると、それは、セル再選択のために他のアクセスポイントを評価することができる。したがって、エネルギー効率推定器４０８は、１つまたは複数のアクセスポイント４０６に対して再選択することに関連するエネルギー効率を、現在のアクセスポイント(current access point)４０４のそれと同様に、計算することができる。セル選択器４１２は、記載されているように、エネルギー効率計算を比較することに少なくとも部分的に基づいて、アクセスポイント４０６を再選択するかどうかを決定することができる。別の例では、ローディングパラメータ指定子４１６及び４１８は、それぞれのアクセスポイント４０４及び４０６に関連する１つまたは複数のローディングパラメータを規定することができ、そしてそれは、記載されているように現在サポートされているデバイスの数、残余キャパシティ等に関することができ、そしてそれらは、それぞれの送信器４１４及び４１８にわたって送信されることができる。記載されているように、ローディングパラメータ評価器４１０は、ローディングパラメータを分析することができ、セル選択器４１２は、アクセスポイント４０６を再選択するかどうかを決定することにおいてローディングパラメータをさらに考慮することができる。
【００３８】
一例によると、送信機４１４及び４１８は、それぞれのアクセスポイント４０４及び４０６に関連するパイロット信号を送信することができ、エネルギー効率推定器４０８は、パイロット信号に関連する干渉レベルを決定することができる。さらに、上記で記載されているように、エネルギー効率推定器４０８は、ＥＩＲＰのようなパイロット信号の信号強度を測定することができ、アクセスポイント４０４及び４０６についてのパスロスをコンピュートする。セル選択器４１２は、パスロスコンピューテーション(pathloss computation)に少なくとも部分的に基づいて、アクセスポイント４０６に対して再選択するかどうかを決定することができる。一例において、干渉レベルがアクセスポイント４０４及び４０６において同じである場合、エネルギー効率推定器４０８は、上記で記載されているように、アクセスポイント４０４及び４０６のタイプに基づいて（例、マクロセルのアクセスポイント、フェムトセルあるいは他の小さいサービスエリアのアクセスポイント、等）、他よりも１干渉レベル高く、重みづけることができる。さらに、エネルギー効率推定器４０８は、アクセスポイント４０４及び４０６のタイプに基づいて、異なる提供された干渉計算を評価することができる。
【００３９】
一例では、アクセスポイント４０４における干渉は、エネルギー効率推定器４０８によって測定されるように、アクセスポイント４０６における干渉の関数であることができる。記載されているように、干渉は、干渉回避がアクセスポイント４０４及び４０６で実行されているかあるいはされていないかに基づくことができる。さらに、エネルギー効率推定器４０８によって使用される干渉は、ＩｏＴであることができる。この場合、下記の式は、一例において、使用されることができる：
【数４】
2011511578.tif 000006
【００４０】
記載されているように、利用されたＩｏＴは、アクセスポイント４０４及び４０６のタイプに基づくことができる。一例では、ＩｏＴは、アクセスポイント４０４及び４０６から受信されることができる。例えば、アクセスポイントがより小さなサービスエリアのアクセスポイントである場合、有効なＩｏＴは、エネルギー効率推定器４０８によって受信され、使用されることができる。アクセスポイントがマクロセル、あるいは、大きなサービスエリアのアクセスポイントである場合、記載されているように、通常のＩｏＴは、エネルギー効率推定器によって受信され、使用されることができる。別の例では、アクセスポイント４０４及び４０６に最初に接続するかどうかを決定することにおいてセル選択器４１２が前述を使用することができるということは理解されるべきであるべきである。さらに別の例によると、アクセス端末４０２は、それがアクセスポイント４０４及び／または４０６の異なるキャリアと通信することができるように、マルチキャリア受信機を有することができる。したがって、ローディングパラメータ指定子４１６及び／または４２０は、それぞれのアクセスポイント４０４及び４０６の個々のキャリア上で、ローディングパラメータを指定することができる。ローディングパラメータ評価器４１０は、どのキャリア（単数または複数）を利用するかを決定するために、ローディングパラメータを分析することができ、セル選択器４１２は、その分析に基づいて、適切なキャリア（単数または複数）を選択することができる。
【００４１】
図５−６を参照すると、エネルギー効率及び／または受信ローディングパラメータにしたがって、セルを選択すること／再選択することに関する方法が図示されている。説明の簡潔化の目的のために、一連の動作として方法が示され、説明されているが、いくつかの動作は、１つまたは複数の実施形態にしたがって、ここに示され説明されるのとは異なる順序および／または他の動作と同時に生じうるように、方法は、動作の順序によって限定されない、ということが、理解され、かつ認識されるべきである。例えば、当業者は、方法は、状態図におけるような、一連の相互に関係づけられた状態あるいはイベントとして代わりに表されることが出来るであろうことを理解し、認識するだろう。さらに、1つまたは複数の実施形態に従って方法をインプリメントするために、すべての示された動作は、必ずしも必要とされなくともよい。
【００４２】
図５に戻ると、推定されたエネルギー効率にしたがってセルを選択する／再選択することを容易にする方法５００が表わされている。５０２で、アクセスポイントのエネルギー効率が推定される。実施形態では、エネルギー効率の測定は、パスロスの測定のレベル(a level of a pathloss measure)に関連している。追加的に、あるいは、代替的に、エネルギー効率は、干渉測定のレベルに関連していることができる。一例によると、パスロスのレベルは、信号を送信するためにアクセスポイントによって使用されるパワーと受信信号強度に少なくとも部分的に基づいて推定されることができる。別の例では、干渉のレベルは、受信された合計パワーからアクセスポイントの信号パワーを引いたものとして測定されることができる。さらなるコンピューテーションあるいは推定は、パスロス及び／または干渉のレベルを決定するために使用されることができるということが理解されるであろう。さらに、エネルギー効率推定は、ここにおいて説明されているように、追加パラメータにも関連することができる。５０４で、アクセスポイントのエネルギー効率は、異なるアクセスポイントに関するエネルギー効率と比較される。一例では、異なるアクセスポイントは、現在のアクセスポイントのセルからアクセスポイントのセルまで再選択するかどうかを決定するためにエネルギー効率が比較されるような、現在のアクセスポイントであることができる。５０６で、通信は、エネルギー効率を比較することに少なくとも部分的に基づいて、アクセスポイントで確立される。したがって、記載されているように、このことは、初期セル選択及び／または再選択であることができる。さらに、推定されたエネルギー効率は、記載されているように、アクセスポイントタイプに依存して重み付けられることができるので、より小さいスケールのアクセスポイントが、エリアマクロセルのアクセスポイントをオーバーロードすることを防ぐ一定の微分(certain differential)に好まれる可能性がある。
【００４３】
図６に戻って、受信ローディングパラメータに少なくとも部分的に基づいて、アクセスポイントを選択する／再選択する方法６００である。６０２で、１つまたは複数のローディングパラメータは、アクセスポイントから受信される。記載されているように、ローディングパラメータは、セルあるいは関連アクセスポイント上のローディング条件、例えば、現在接続されるデバイスの数、残余キャパシティ、関連干渉レベル、等に関連していることができる。ローディングパラメータは、１つまたは複数のネットワークコンポーネント、モバイルデバイス、及び／または、同様なものから、アクセスポイントによって送信されるパイロットあるいは他の信号において受信されることができる。６０４で、１つまたは複数のローディングパラメータは、異なるアクセスポイントの１つまたは複数の対応するローディングパラメータと比較されることができる。説明されているように、異なるアクセスポイントは、ローディングパラメータが受信されるアクセスポイントがセル再選択について評価されるような、現在のアクセスポイントであることができる。６０６で、通信は、ローディングパラメータを比較することに少なくとも部分的に基づいて、アクセスポイントで確立されることができる。説明されているように、このことは、初期の通信及び／またはセル再選択を確立することに関連していることができる。
【００４４】
ここに記載されている１つまたは複数の態様にしたがって、説明されるように、異なるアクセスポイント（例、タイプに基づいている）についてのエネルギー効率計算を重みづけることに関する推論がなされることができるということは、理解されるであろう。ここにおいて使用されているように、用語「推論する(infer)」あるいは「推論(inference)」は、イベントおよび／またはデータを介してキャプチャされるように１セットの観察から、システム、環境、および／またはユーザ、の状態を論証する、あるいは推論するプロセスを一般的に指す。推論は、例えば、特定のコンテキストあるいは動作を識別するように利用されることができる、あるいは、状態についての確立分布を生成することができる。推論は、蓋然的であることができ、−すなわち、対象の状態についての確率分布のコンピューテーションは、データ及びイベントの検討材料(consideration)に基づいている。推論はまた、１セットのイベントおよび／またはデータからより高いレベルのイベントを構成するために利用される技術を指すことが出来る。そのような推論は、イベントが時間近接性(close temporal proximity)に相関していようがしていまいが、また、イベント及びデータが１あるいはいくつかのイベント及びデータソースから生じようが生じまいが、１セットの観察されたイベントおよび／または保存されたイベントデータから新しいイベントあるいは動作の構築を結果としてもたらす。一例では、ローディングパラメータを評価することにおいて、推論がさらに行なわれることができる（例、接続されたデバイスの現在の数を評価するためにアクセスポイントのためのキャパシティを推論する）。
【００４５】
図７は、推定されたエネルギー効率及び／または受信ロードパラメータに少なくとも部分的に基づいた、セル選択／再選択を容易にする、モバイルデバイス７００の図示である。モバイルデバイス７００は、例えば受信アンテナ（図示されず）から信号を受信し、受信信号に典型的な動作を実行し（例、フィルタにかけ、増幅し、ダウンコンバートする等）、そして、サンプルを得るために条件づけられた信号をデジタル化する、受信機７０２を備えることができる。受信機７０２は、受信シンボルを復調し、チャネル推定のためにプロセッサ７０６にそれらを提供することができる、デモジュレータ７０４を備えることができる。プロセッサ７０６は、受信機７０２によって受信された情報を分析すること及び／または送信機７１６による送信のための情報を生成するために設けられたプロセッサ、モバイルデバイス７００の１つまたは複数のコンポーネントを制御するプロセッサ、及び／または、受信機７０２によって受信された情報を分析し、送信機７１６による送信のための情報を生成し、そして、モバイルデバイス７００の１つまたは複数のコンポーネントを制御するプロセッサ、であることができる。
【００４６】
モバイルデバイス７００は、プロセッサ７０６に操作的に結合され、そして、送信されるべきデータ、受信データ、利用可能チャネルに関連する情報、分析信号及び／または干渉強度と関連づけられたデータ、割当てられたチャネル、パワー、レート、あるいは同様なものに関連する情報、そして、チャネルを推定しチャネルを介して通信するためのいずれの他の適切な情報、を保存することができる、メモリ７０８をさらに備えることができる。メモリ７０８は、チャネル（例、性能ベースで、キャパシティベースで、等）を推定すること及び／または利用することと関連づけられた、プロトコル及び／またはアルゴリズムを追加的に保存することができる。
【００４７】
ここにおいて説明されるデータストア（例：メモリ７０８）は、揮発性メモリか不揮発性メモリかのいずれかであることができ、あるいは揮発性メモリと不揮発性メモリの両方を含むことができる、ということが理解されるであろう。例として、しかし限定されないが、不揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、あるいはフラッシュメモリを含むことが出来る。揮発性メモリは、外部キャッシュメモリとして作用するランダムアクセスメモリ（ＲＡＭ）を含むことが出来る。例として、しかし限定されないが、ＲＡＭは、シンクロナスＲＡＭ（ＳＲＡＭ）、動的ＲＡＭ（ＤＲＡＭ）、シンクロナスＤＲＡＭ（ＳＤＲＡＭ）、ダブルデータレートＳＤＲＡＭ（ＤＤＲＳＤＲＡＭ）、拡張ＳＤＲＡＭ（ＥＳＤＲＡＭ）、シンクリンク（Synchlink）ＤＲＡＭ(ＳＬＤＲＡＭ)、およびダイレクトラムバスＲＡＭ(ＤＲＲＡＭ)、のような多くの形態で利用可能である。主題のシステムおよび方法のメモリ７０８は、限定はされないが、これらおよびいずれの他の適切なタイプのメモリを備えるように意図されている。
【００４８】
プロセッサ７０６は、ここにおいて説明されるような１つまたは複数のアクセスポイントのためのエネルギー効率を計算することができるエネルギー効率推定器７１０と、アクセスポイントから１つまたは複数のロードパラメータを受信することができるロードパラメータ受信機７１２と、に通信的にさらに結合されることができる。具体的には、エネルギー効率推定器７１０は、上記で記載されているように、１つまたは複数のアクセスポイントに関するパスロス及び／または干渉レベルを評価し、それにしたがって、関連エネルギー効率推定を生成することができる。プロセッサ７０６は、後続通信を扱うために１つまたは複数のセル（あるいは関連セル）を選択する、あるいは、再選択するためにエネルギー効率推定を利用することができる。さらに、ロードパラメータ受信機７１２は、１つまたは複数のアクセスポイント上のローディング条件に関する、１つまたは複数のロードパラメータを得ることができる。例えば、ロードパラメータは、アクセスポイント、あるいは、異なるネットワークコンポーネント、モバイルデバイスなどから受信されることができる。プロセッサ７０６は、記載されているように、１つまたは複数のアクセスポイントを選択することあるいは再選択することにおいて、追加的にあるいは代替的にロードパラメータを考慮することができる。モバイルデバイス７００は、それぞれ、信号を変調する、モジュレータ７１４と、信号を例えば基地局、別のモバイルデバイス、等に送信する、送信機７１６とをさらに備える。プロセッサ７０６と離れているものとして図示されているが、エネルギー効率推定器７１０、ロードパラメータ受信機７１２、デモジュレータ７０４、及び／または、モジュレータ７１４は、プロセッサ７０６あるいはマルチプルプロセッサ（図示されず）の一部であることができるということが理解されるべきである。
【００４９】
図８は、１つまたは複数のデバイスに対してロードパラメータを送信することを容易にするシステム８００の図示である。システム８００は、複数の受信アンテナ８０６を通じて１つまたは複数のモバイルデバイス８０４から信号（単数または複数）を受信する受信機８１０と、送信アンテナ８０８を通じて１つまたは複数のモバイルデバイス８０４に送信する送信機８２２と、を備えた基地局８０２（例、アクセスポイント、…）を備える。受信機８１０は受信アンテナ８０６から情報を受信することができ、受信された情報を復調するデモジュレータ８１２と操作的に関連づけられる。復調されたシンボルは、図７に関して上記で説明されるプロセッサと同様であることができるプロセッサ８１４によって分析され、そしてそれは、信号（例、パイロット）強度及び／または干渉強度を推定することに関連した情報、モバイルデバイス（単数または複数）８０４（あるいは異なる基地局（図示されず））に送信されるあるいはそこから受信されるべきデータ、及び／または、ここに記載されている様々な動作及び機能を実行することに関連したいずれの他の適切な情報、を保存するメモリ８１６に結合される。さらに、モジュレータ８２０は、１つまたは複数のモバイルデバイス８０４に対する送信機８２２上の送信のために、信号へとデータを同様に変調することができる。プロセッサ８１４は、１つまたは複数のモバイルデバイス８０４に送信するためにロードパラメータを生成することができる、ロードパラメータ指定子８１８にさらに結合される。
【００５０】
一例によると、ロードパラメータ指定子８１８は、基地局８０２に関する、検知されたあるいは受信されたローディング条件に少なくとも部分的に基づいて、パラメータを生成することができる。一例では、パラメータは、記載されているような、基地局８０２によって現在サービス提供されるモバイルデバイス８０４の数、基地局８０２によってサービス提供されることができるデバイスの数、基地局８０２の残余キャパシティ、基地局８０２において経験される干渉、及び／または、同様なもの、を含むことができる。モバイルデバイス８０４が、選択／再選択のためにアクセスポイントを決定することにおいてパラメータを考慮することを可能にするために、基地局８０２は、１つまたは複数のモバイルデバイス８０４に対してロードパラメータを送信することができる。さらに、プロセッサ８１４から離れているものとして図示されているが、ロードパラメータ指定子８１８、デモジュレータ８１２、及び／または、モジュレータ８２０は、プロセッサ８１４あるいはマルチプルプロセッサ（図示されず）の一部であることができるということは理解されるべきである。
【００５１】
図９は無線通信システム９００の例を示す。無線通信システム９００は、簡潔のため、１つの基地局９１０と１つのモバイルデバイス９５０を図示する。しかしながら、システム９００は、１以上の基地局及び／または１以上のモバイルデバイスを含むことができるということは理解されるべきであり、なお、追加の基地局及び／またはモバイルデバイスは、下記で記載されている一例の基地局９１０とモバイルデバイス９５０と実質的に同じあるいは異なることができる。さらに、基地局９１０及び／またはモバイルデバイス９５０は、それらの間の無線通信を容易にするためにここに説明されるシステム（図１−４及び７−８）及び／または方法（図５−６）を利用することができる、ということは理解されるべきである。
【００５２】
基地局９１０で、複数のデータストリーム(a number of data streams)のためのトラヒックデータが、データソース９１２から送信（ＴＸ）データプロセッサ９１４に提供される。一例によると、各データストリームは、それぞれのアンテナにわたって送信されることができる。ＴＸデータプロセッサ９１４は、符号化されたデータを提供するためにそのデータストリームについて選択された特定のコーディングスキームに基づいて、トラヒックデータストリームをフォーマット化し、符号化し、そしてインタリーブする。
【００５３】
各データストリームについて符号化されたデータは、直交周波数分割多重化（ＯＦＤＭ）技術を使用して、パイロットデータで多重化されることができる。追加的にあるいは代替的に、パイロットシンボルは、周波数分割多重化（ＦＤＭ）、時分割多重化（ＴＤＭ）、あるいは符号分割多重化（ＣＤＭ）されることができる。パイロットデータは、知られた方法で処理される、一般的に知られたデータパターンであり、チャネル応答を推定するためにモバイルデバイス９５０で使用されることができる。各データストリームについて多重化されたパイロット及び符号化されたデータは、変調シンボルを提供するためにそのデータストリームについて選択された特定の変調スキーム（例えば、バイナリ位相シフトキーイング（ＢＰＳＫ）、直角位相シフトキーイング(quadrature phase-shift keying)（ＱＰＳＫ）、Ｍ位相シフトキーイング(M-phase-shift keying)（Ｍ−ＰＳＫ）、Ｍ直角増幅変調(M-quadrature amplitude modulation)(Ｍ−ＱＡＭ)等）に基づいて変調される（例、シンボルマッピングされる）ことができる。各データストリームのためのデータレート、コーディング、及び変調は、プロセッサ９３０によって実行されるあるいは提供される命令によって決定されることができる。
【００５４】
データストリームについての変調シンボルは、ＴＸ ＭＩＭＯプロセッサ９２０に提供されることができ、そしてそれは、変調シンボル（例えばＯＦＤＭ用の）をさらに処理することができる。ＴＸ ＭＩＭＯプロセッサ９２０は、ＮＴ送信機（ＴＭＴＲ）９２２ａ〜９２２ｔに対して、ＮＴ変調シンボルストリームを提供する。様々な実施形態において、ＴＸ ＭＩＭＯプロセッサ９２０は、シンボルが送信されているアンテナに対して、そして、データストリームのシンボルに対して、ビームフォーミング重み付けを適用する。
【００５５】
各送信機９２２は、１つまたは複数のアナログ信号を提供するために、それぞれのシンボルストリームを受信し処理し、ＭＩＭＯチャネル上の送信に適切な変調信号を提供するために、アナログ信号を、さらに条件づける（例、増幅し、フィルタにかけ、そしてアップコンバートする）。さらに、送信機９２２ａ〜９２２ｔからのＮＴ変調信号は、それぞれ、ＮＴアンテナ９２４ａ〜９２４ｔから送信される。
【００５６】
モバイルデバイス９５０で、送信された変調信号は、ＮＲアンテナ９５２ａ〜９５２ｒによって受信され、各アンテナ９５２からの受信信号は、それぞれの受信機（ＲＣＶＲ）９５４ａ〜９５４ｒに提供される。各受信機９５４は、それぞれの信号を条件づけ（例、フィルタにかけ、増幅し、ダウンコンバートする）、サンプルを提供するために条件づけられた信号をデジタル化し、そして、対応する「受信された(received)」シンボルストリームを提供するためにサンプルをさらに処理する。
【００５７】
ＲＸデータプロセッサ９６０は、ＮＴ「検出された」シンボルストリームを提供するために特定の受信機処理技術に基づいて、ＮＲ受信機９５４から、ＮＲ受信シンボルストリームを受信し処理することができる。ＲＸデータプロセッサ９６０は、データストリームについてのトラヒックデータを回復するために、各検出されたシンボルストリームを、復調し、デインタリーブし、復号することができる。ＲＸデータプロセッサ９６０による処理は、基地局９１０における、ＴＸ ＭＩＭＯプロセッサ９２０とＴＸデータプロセッサ９１４によって、実行されるものの補足である。
【００５８】
プロセッサ９７０は、上記で説明されているように、どのプレコーディングマトリクス(precoding matrix)を利用するかを周期的に決定することができる。さらに、プロセッサ９７０は、マトリクスインデクス部分とランク値部分を備えている逆方向リンクメッセージを公式化することができる。
【００５９】
逆方向リンクメッセージは、通信リンク及び／または受信データストリームに関する様々なタイプの情報を備えることができる。逆方向リンクメッセージは、データソース９３６から複数のデータストリームのためにトラヒックデータも受信するＴＸデータプロセッサ９３８によって処理され、モジュレータ９８０によって変調され、送信機９５４ａ〜９５４ｒによって条件づけられ、そして、基地局９１０に戻って送信されることができる。
【００６０】
基地局９１０では、モバイルデバイス９５０からの変調信号は、モバイルデバイス９５０によって送信される逆方向リンクメッセージを抽出するために、アンテナ９２４によって受信され、受信機９２２によって条件付けられ、デモジュレータ９４０によって復調され、ＲＸデータプロセッサ９４２によって処理される。さらに、プロセッサ９３０は、ビームフォーミング重み付けを決定するのにどのプレコーディングマトリクスを使用するかを決定するために、抽出されたメッセージを処理することができる。
【００６１】
プロセッサ９３０及び９７０は、それぞれ、基地局９１０及びモバイルデバイス９５０におけるオペレーションを命令することができる（例、制御し、調和し、管理する、等）。それぞれのプロセッサ９３０及び９７０は、プログラムコード及びデータを保存するメモリ９３２及び９７２と関連づけられることができる。プロセッサ９３０及び９７０はまた、それぞれ、アップリンクとダウンリンクについての周波数及びインパルス応答の推定値を引き出すために、コンピューテーションを実行することができる。
【００６２】
ここにおいて説明されている実施形態はハードウェア、ソフトウェア、ファームウェア、ミドルウェア、マイクロコード、あるいは、それらのいずれの組み合わせ、においてインプリメントされることができる、ということは理解されるべきである。ハードウェアのインプリメンテーションの場合には、処理ユニットは、１つまたは複数の特定用途向け集積回路（ＡＳＩＣｓ）、デジタルシグナルプロセッサ（ＤＳＰｓ）、デジタルシグナルプロセッシングデバイス（ＤＳＰＤｓ）、プログラマブル論理デバイス（ＰＬＤｓ）、フィールドプログラマブルゲートアレイ（ＦＰＧＡｓ）、プロセッサ、コントローラ、マイクロコントローラ、マイクロプロセッサ、ここにおいて説明される機能を実行するように設計された他の電子ユニット、あるいは、それらの組み合わせ、の内でインプリメントされることができる。
【００６３】
実施形態がソフトウェア、ファームウェア、ミドルウェア、あるいはマイクロコード、プログラムコード、あるいはコードセグメントにおいてインプリメントされるとき、それらは、例えばストレージコンポーネントのようなマシン可読媒体において保存されることができる。コードセグメントは、プロシージャ(procedure)、関数(function)、サブプログラム、プログラム、ルーチン、サブルーチン、モジュール、ソフトウェアパッケージ、クラス、あるいは命令、データ構造、あるいはプログラムステートメント(program statements)のいずれの組み合わせ、を表わすことができる。コードセグメントは、情報、データ、アーギュメント、パラメータ、あるいはメモリコンテンツを受け渡すこと、および／または、受信することによって、別のコードセグメントあるいはハードウェア回路に結合されることができる。情報、アーギュメント、パラメータ、データ等は、メモリ共有、メッセージパッシング(message passing)、トークンパッシング(token passing)、ネットワーク送信等を含んでいるいずれの適切な手段を使用して、受け渡され、転送され(forwarded)、あるいは送信されることができる。
【００６４】
ソフトウェアのインプリメンテーションの場合は、ここにおいて説明された技術は、ここにおいて説明される機能を実行するモジュール（例、プロシージャ、関数、等）でインプリメントされることができる。ソフトウェアコードはメモリユニットに保存され、プロセッサによって実行されることができる。メモリユニットは、プロセッサ内で、あるいはプロセッサに外付けで、インプリメントされることができ、いずれの場合においても、当技術分野において知られているように様々な手段を介してプロセッサに通信的に結合されることができる。
【００６５】
図１０を参照すると、アクセスポイントに関する受信エネルギー効率に少なくとも部分的に基づいて１つまたは複数のアクセスポイントとの通信を確立するシステム１００が図示されている。例えば、システム１０００は、基地局、モバイルデバイス等内で、少なくとも部分的に、常駐することができる。システム１００は、機能ブロックを含んでいるものとして表されるということは理解されるべきであり、そしてそれは、プロセッサ、ソフトウェア、あるいはそれらの組み合わせ（例、ファームウェア）によってインプリメントされる機能を表す機能ブロックであることができる。システム１０００は、関連して作用することができる電子コンポーネントのロジカルグルーピング１００２を含む。例えば、ロジカルグルーピング１００２は、アクセスポイントに関するエネルギー効率を受信するための電子コンポーネント１００４を含むことができる。例えば、エネルギー効率は、エネルギー効率を推定するコンポーネント（図示されず）から受信されることができる。一例では、エネルギー効率は、記載されているように、推定されたパスロス及び／またはアクセスポイントに関する干渉のレベルに基づいて計算されることができる。さらに、ロジカルグルーピング１００２は、アクセスポイントを選択するために、エネルギー効率を異なるアクセスポイントから受信されたエネルギー効率と比較するための電子コンポーネント１００６を備えることができる。記載されているように、アクセスポイントは、セル再選択のプロシージャの一部、及び／または同様なもの、として、初期通信確立のために選択されることができる。この目的のために、ロジカルグルーピング１００２は、選択されたアクセスポイントとの通信を確立するための電子コンポーネント１００８を含むことができる。さらに、システム１０００は、電子コンポーネント１００４、１００６及び１００８と関連づけられた、機能を実行するための命令を保持するメモリ１０１０を含むことができる。メモリ１０１０の外にあるものとして示されているが、電子コンポーネント１００４、１００６、及び１００８のうちの１つまたは複数はメモリ１０１０内に存在することができるということは理解されるべきである。
【００６６】
上記で説明されたものは、１つまたは複数の実施形態の例を含む。前述の実施形態を説明する目的のためにすべての考えられるだけのコンポーネントあるいは方法の組み合わせを記載することは、勿論、可能ではないが、当業者は、多くのさらなる組み合わせと並び替えが可能であることを認識することが出来る。したがって、説明された実施形態は、添付された特許請求の範囲の精神および範囲の中に入る、すべてのそのような変更、修正、および変形を包含するように意図されている。さらに、用語「含む(includes)」が、詳細な説明あるいは特許請求の範囲のいずれかにおいて使用されている範囲内において使用されている範囲内において、そのような用語は、用語「備えている(comprising)」が請求項においてトランジショナルワード(transitional word)として使用されるときに解釈されるように、用語「備えている(comprising)」と同様な方法で包括的であるように意図されている。さらに、説明された態様及び／または実施形態の構成要素(elements)は、単数形で説明あるいは特許請求されるかもしれないが、単数形への制限が明示的に述べられていない限り、複数形が意図されている。さらに、いずれの態様及び／または実施形態のすべてあるいは一部は、述べられていない限り、いずれの他の態様及び／または実施形態のすべてあるいは一部を用いて、利用されることができる。
【００６７】
ここにおいて開示された実施形態に関連して説明された、様々な説明のための論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、いずれの従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１つまたは複数のマイクロプロセッサ、あるいはいずれの他のそのような構成のもの、としてインプリメントされてもよい。さらに、少なくとも１つのプロセッサは、上記で説明されたステップ及び／または動作のうちの１つまたは複数を実行することが動作可能な１つまたは複数のモジュールを備えることができる。
【００６８】
さらに、ここにおいて開示された態様に関連して説明された方法あるいはアルゴリズムのステップ及び／または動作は、直接的にハードウェアにおいて、プロセッサによって実行されるソフトウェアモジュールにおいて、あるいはこれら２つの組み合わせにおいて、具現化されることができる。ソフトウェアモジュール、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において存在することができる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されてもよい。さらに、いくつかの態様では、プロセッサと記憶媒体は、ＡＳＩＣにおいて存在していてもよい。さらに、ＡＳＩＣは、ユーザ端末に存在していてもよい。あるいは、プロセッサと記憶媒体は、ユーザ端末において、ディスクリートコンポーネントとして存在していてもよい。さらに、いくつかの態様では、方法あるいはアルゴリズムのステップ及び／または動作は、マシン可読媒体および／またはコンピュータ可読媒体上で、１つのあるいはいずれの組み合わせのあるいは１セットのコードおよび／または命令として、存在することができ、そしてそれは、コンピュータプログラムプロダクトに組み込まれることができる。
【００６９】
１つまたは複数の態様では、説明された機能は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、１つまたは複数の命令あるいはコードとして、保存されてもよく、あるいは、送信されることができる。コンピュータ可読媒体は、１つの場所から別の場所へのコンピュータプログラムの転送(transfer)を容易にするいずれの媒体も含んでいる通信媒体とコンピュータ記憶媒体の両方を含む。記憶媒体は、コンピュータによってアクセスされることができる、いずれの利用可能な媒体であってもよい。例として、また限定されないが、そのようなコンピュータ可読媒体は、ＲＡＭ、ＲＯＭ、ＥＥＰＲＯＭ、ＣＤ−ＲＯＭあるいは他の光学ディスクストレージ(optical disk storage)、磁気ディスクストレージ(magnetic disk storage)あるいは他の磁気ストレージデバイス(magnetic storage devices)、あるいは、命令あるいはデータストラクチャの形態において望まれるプログラムコード手段(desired program code means)を搬送あるいは保存するために使用されることができ、また、コンピュータによってアクセスされることができる、いずれの他の媒体も備えることができる。また、いずれの接続もコンピュータ可読媒体と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、およびマイクロ波のような無線技術を使用している他の遠隔ソース、から送信される場合には、そのときには、同軸ケーブル、光ファイバーケーブル、ツイストペア、ＤＳＬ、あるいは赤外線、無線、およびマイクロ波のような無線技術は、媒体(medium)の定義に含まれている。ここに使用されているように、ディスク(disk)とディスク(disc)は、コンパクトディスク(compact disc)（ＣＤ）、レーザーディスク（登録商標）(laser disc)、光学ディスク(optical disc)、デジタル汎用ディスク(digital versatile disc)（ＤＶＤ）、フロッピー（登録商標）ディスク(disk)およびブルーレイディスク(blu-ray disc)を含んでおり、ディスク(disks)は、大抵、データを磁気で再生しているが、ディスク(discs)は、レーザーで光学的に再生する。上記のものの組み合わせもまた、コンピュータ可読媒体の範囲内に含まれるべきである。
【図１】
2011511578.tif 000007
【図２】
2011511578.tif 000008
【図３】
2011511578.tif 000009
【図４】
2011511578.tif 000010
【図５】
2011511578.tif 000011
【図６】
2011511578.tif 000012
【図７】
2011511578.tif 000013
【図８】
2011511578.tif 000014
【図９】
2011511578.tif 000015
【図１０】
2011511578.tif 000016
【国際調査報告】
2011511578.tif 000017
2011511578.tif 000018
2011511578.tif 000019